(57)【要約】【課題】股下部の吸収体の両側部が下方に屈曲して着用者の大腿部内側面に沿って配される使い捨ておむつであって、装着性及びフィット性が向上したものを提供する。【解決手段】左右それぞれに、少なくとも２本のファスニングテープ５１，５２を有しており、長手方向の両側に凹状のレッグ縁部１１が形成されており、第１テープ５１と背側のウエスト縁端１２の距離Ｌ１、股下中央線ＣＬとウエスト縁端１２との距離Ｌ２及び第２テープ５２と股下中央線ＣＬとの間の距離Ｌ３がＬ１／Ｌ２＜０．０８及びＬ３／Ｌ２＞０．６の関係にあり、第２テープ５２の基端部における股下中央線ＣＬ側の端点５３ａを通り且つレッグ縁部１１に接する直線状の仮想力線ＦＬが、レッグ縁部１１との接点を、背側ウエスト縁端１２からの距離がおむつ全長の２５％までの領域Ａ１内に有する使い捨ておむつ１。【選択図】　　図１
2004141532.tif 000002
【特許請求の範囲】
【請求項１】
液透過性の表面シート、液不透過性の裏面シート及び液保持性の吸収体を備え、背側部の両側部それぞれに、各々少なくとも２本のファスニングテープを有する背側フラップ部を具備しており、長手方向の両側それぞれに凹状のレッグ縁部が形成されており、股下部における前記吸収体の両側部が、着用時に下方に屈曲して着用者の大腿部内側面に沿って配されるようになされている使い捨ておむつにおいて、
前記ファスニングテープのうち最も背側ウエスト縁端側に位置する第１ファスニングテープと該背側ウエスト縁端との間の距離Ｌ１、おむつ全長を２等分する股下中央線と該背側ウエスト縁端との間の距離Ｌ２、及び前記ファスニングテープのうち最も前記股下中央線側に位置する第２ファスニングテープと該股下中央線との間の距離Ｌ３が、下記（１）及び（２）の関係を満たしており、
Ｌ１／Ｌ２＜０．０８　・・・（１）
Ｌ３／Ｌ２＞０．６　　・・・（２）
且つ、前記第２ファスニングテープの基端部における該股下中央線側の端点を通り且つ前記レッグ縁部に接する直線状の仮想力線が、該レッグ縁部との接点を、前記背側ウエスト縁端からの距離がおむつ全長の２５％までの領域内に有することを特徴とする使い捨ておむつ。
【請求項２】
前記各ファスニングテープは、止着部を有するテープ基材を前記フラップ部の形成材料に接合して形成されている請求項１記載の使い捨ておむつ。
【請求項３】
前記各ファスニングテープは、前記フラップ部から延出させた該フラップの形成材料に止着部を設けて形成されている請求項１記載の使い捨ておむつ。
【請求項４】
前記第１ファスニングテープの基端部における前記背側ウエスト縁端側の端点が、前記吸収体の該背側ウエスト縁端側の端部の位置よりも該背側ウエスト縁端側に位置する請求項１〜３の何れか記載の使い捨ておむつ。
【請求項５】
前記仮想力線とおむつ長手方向とがなす鋭角が４５〜８０゜である請求項１〜４の何れか記載の使い捨ておむつ。
【請求項６】
前記第１ファスニングテープと前記背側ウエスト縁端との間の距離Ｌ１が０〜３５ｍｍである請求項１〜５の何れか記載の使い捨ておむつ。
【請求項７】
液透過性の表面シート、液不透過性の裏面シート及び液保持性の吸収体を備え、背側部の両側部それぞれに、各々少なくとも２本のファスニングテープを有する背側フラップ部を具備しており、長手方向の両側それぞれに凹状のレッグ縁部が形成されており、股下部における前記吸収体の両側部が、着用時に下方に屈曲して着用者の大腿部内側面に沿って配されるようになされている使い捨ておむつにおいて、
前記各背側フラップ部は、おむつ本体部分と一体的に形成された本体フラップ部と、該本体フラップ部の先端縁部に、該先端縁部における前記股下中央線側の一部を残すように設けられたフラップ先端材とからなり、該フラップ先端材の先端縁部に前記各ファスニングテープが設けられており、
前記ファスニングテープのうち最も背側ウエスト縁端側に位置する第１ファスニングテープと該背側ウエスト縁端との間の距離Ｌ１、おむつ全長を２等分する股下中央線と該背側ウエスト縁端との間の距離Ｌ２、及び前記ファスニングテープのうち最も前記股下中央線側に位置する第２ファスニングテープと該股下中央線との間の距離Ｌ３が、下記（１）及び（２）の関係を満たしており、
Ｌ１／Ｌ２＜０．０８　・・・（１）
Ｌ３／Ｌ２＞０．６　　・・・（２）
且つ、前記フラップ先端材の基端部における前記股下中央線側の端点を通り且つ前記レッグ縁部に接する直線状の仮想力線が、該レッグ縁部との接点を、前記背側ウエスト縁端からの距離がおむつ全長の２５％までの領域内に有することを特徴とする使い捨ておむつ。
【発明の詳細な説明】
【０００１】
【発明の属する技術分野】
本発明は、股下部における吸収体の両側部が、着用時に下方に屈曲して着用者の大腿部内側面に沿って配されるようになされている使い捨ておむつであって、装着性及びフィット性の向上した使い捨ておむつに関する。
【０００２】
【従来の技術及び発明が解決しようとする課題】
【０００３】
特開２００１−３４６８３０号公報（特許文献１）には、中央吸収体の両側縁の外方に第２吸収体を配し、第２吸収体が配設された領域に、おむつ長手方向に沿ってレッグ部弾性部材を配設した使い捨ておむつが記載されている。
この使い捨ておむつにおいては、股下部における吸収体の両側部（中央吸収体及び第２吸収体を一つの吸収体と考えた場合の第２吸収体部分）が、着用時に下方に屈曲して着用者の大腿部内側面に沿って配されるようになされており、また、その両側部又はその近傍に弾性部材が配設されている。このため、着用者の鼠蹊部を超えて側方に漏れだした排泄物が吸収体の両側部（第２吸収体部分）に吸収され、優れた防漏性能が得られると共に、着用時の形態が意匠性に優れている。
しかし、この使い捨ておむつにおいては、一般的な使い捨ておむつに比べて股間部の幅が広くなる傾向にあるため、更なる装着性の向上が求められていた。
【０００４】
特開２００１−１１３０４０号公報（特許文献２）には、着用時にトランクス形態になる使い捨ておむつの外形形状を特定の形状とした使い捨ておむつが記載されており、この使い捨ておむつによれば、装着性及びフィット性を向上させることができるが、外形形状が前記特定の形状に限定されるという問題がある。
【０００５】
【特許文献１】
特開２００１−３４６８３０号公報
【特許文献２】
特開２００１−１１３０４０号公報
【０００６】
本発明の目的は、股下部における吸収体の両側部が着用時に下方に屈曲して着用者の大腿部内側面に沿って配されるようになされている使い捨ておむつであって、装着性及びフィット性の向上した使い捨ておむつを提供することにある。
【０００７】
【課題を解決するための手段】
本発明は、液透過性の表面シート、液不透過性の裏面シート及び液保持性の吸収体を備え、背側部の両側部それぞれに、各々少なくとも２本のファスニングテープを有する背側フラップ部を具備しており、長手方向の両側それぞれに凹状のレッグ縁部が形成されており、股下部における前記吸収体の両側部が、着用時に下方に屈曲して着用者の大腿部内側面に沿って配されるようになされている使い捨ておむつにおいて、前記ファスニングテープのうち最も背側ウエスト縁端側に位置する第１ファスニングテープと該背側ウエスト縁端との間の距離Ｌ１、おむつ全長を２等分する股下中央線と該背側ウエスト縁端との間の距離Ｌ２、及び前記ファスニングテープのうち最も前記股下中央線側に位置する第２ファスニングテープと該股下中央線との間の距離Ｌ３が、下記（１）及び（２）の関係を満たしており、
Ｌ１／Ｌ２＜０．０８　・・・（１）
Ｌ３／Ｌ２＞０．６　　・・・（２）
且つ、前記第２ファスニングテープの基端部における該股下中央線側の端点を通り且つ前記レッグ縁部に接する直線状の仮想力線が、該レッグ縁部との接点を、前記背側ウエスト縁端からの距離がおむつ全長の２５％までの領域内に有することを特徴とする使い捨ておむつを提供することにより、上記の目的を達成したものである。
【０００８】
本発明は、液透過性の表面シート、液不透過性の裏面シート及び液保持性の吸収体を備え、背側部の両側部それぞれに、各々少なくとも２本のファスニングテープを有する背側フラップ部を具備しており、長手方向の両側それぞれに凹状のレッグ縁部が形成されており、股下部における前記吸収体の両側部が、着用時に下方に屈曲して着用者の大腿部内側面に沿って配されるようになされている使い捨ておむつにおいて、前記各背側フラップ部は、おむつ本体部分と一体的に形成された本体フラップ部と、該本体フラップ部の先端縁部に、該先端縁部における前記股下中央線側の一部を残すように設けられたフラップ先端材とからなり、該フラップ先端材の先端縁部に前記各ファスニングテープが設けられており、
前記ファスニングテープのうち最も背側ウエスト縁端側に位置する第１ファスニングテープと該背側ウエスト縁端との間の距離Ｌ１、おむつ全長を２等分する股下中央線と該背側ウエスト縁端との間の距離Ｌ２、及び前記ファスニングテープのうち最も前記股下中央線側に位置する第２ファスニングテープと該股下中央線との間の距離Ｌ３が、下記（１）及び（２）の関係を満たしており、
Ｌ１／Ｌ２＜０．０８　・・・（１）
Ｌ３／Ｌ２＞０．６　　・・・（２）
且つ、前記フラップ先端材の基端部における前記股下中央線側の端点を通り且つ前記レッグ縁部に接する直線状の仮想力線が、該レッグ縁部との接点を、前記背側ウエスト縁端からの距離がおむつ全長の２５％までの領域内に有することを特徴とする使い捨ておむつを提供することにより、上記の目的を達成したものである。
【０００９】
【発明の実施の形態】
以下、本発明をその好ましい実施形態に基づいて詳細に説明する。
第１実施形態の使い捨ておむつ１は、成人用の展開型のおむつであり、図１〜図３に示すように、液透過性の表面シート２、液不透過性の裏面シート３及びこれら両シート２、３間に介在された液保持性の吸収体４を備え、実質的に縦長に形成されており、着用時に着用者の背側に配される背側部Ａの両側縁部にファスニングテープ５，５が設けられ、着用者の腹側に配される腹側部Ｂの外表面に、これらのファスニングテープ５を止着可能なランディングゾーン６が設けられている。
【００１０】
本実施形態のおむつ１は、概略形状が、長手方向の中央部が幅狭に括れた砂時計状である。吸収体４は、概ね長方形状を有しており、着用者の肌側に向けられるその内表面側には、長方形状の表面シート２が配されており、その外表面側には、おむつ外形と同形状の裏面シート３が配されている。表面シート２の両側縁は、吸収体４の両側縁に沿ってその若干外方に位置しており、疎水性のシート材７が、表面シート２及び裏面シート３に跨るように配されて、両シート２，３上に接合されている。吸収体４の両側縁の位置よりおむつ幅方向外方に延出した、裏面シート３と表面シート１及び／又はシート材７は、おむつ両側部にサイドフラップ部を形成しており、該サイドフラップ部におけるおむつ長手方向の中央部付近には、着用者の脚廻りに沿って配される凹状（幅方向外方に向かって凹状）のレッグ縁部１１が形成されている。背側フラップ部５０は、サイドフラップ部の一部分であって、おむつ全長を２等分する股下中央線ＣＬよりも背側ウエスト縁端１２側に位置する部分である。尚、図１及び図３においては、表面シート２とシート材７の境界線の図示を省略してある。
【００１１】
而して、本実施形態のおむつ１においては、各背側フラップ部５０における複数のファスニングテープ５のうち最も背側ウエスト縁端１２側に位置する第１ファスニングテープ５１と背側ウエスト縁端（おむつ長手方向背側の端縁）１２との間の距離Ｌ１、おむつ全長Ｌを２等分する股下中央線ＣＬと背側ウエスト縁端１２との間の距離Ｌ２、及び、各背側フラップ部５０における複数のファスニングテープ５のうち最も股下中央線ＣＬ側に位置する第２ファスニングテープ５２と該股下中央線ＣＬとの間の距離Ｌ３が、下記（１）及び（２）の関係を満たしており、
Ｌ１／Ｌ２＜０．０８　・・・（１）
Ｌ３／Ｌ２＞０．６　　・・・（２）
且つ、前記第２ファスニングテープ５２の基端部５３における該股下中央線ＣＬ側の端点５３ａを通り且つレッグ縁部１１に接する直線状の仮想力線ＦＬが、該レッグ縁部１１との接点Ｐを、背側ウエスト縁端１２からの距離がおむつ全長の２５％までの領域Ａ１内に有している（以下、この要件を要件３ともいう）。
【００１２】
前記（１）の関係を満たすことを要件１、前記（２）の関係を満たすことを要件２ともいう。尚、前記距離Ｌ１〜Ｌ３及び後述する距離Ｌ４は、何れも平面状に拡げた状態のおむつの長手方向に沿って測定する。また、前記距離Ｌ１は、第１ファスニングテープ５１の基端部５８における背側ウエスト縁端１２側の端点５８ａと該背側ウエスト縁端１２との間の距離であり、前記距離Ｌ３は、第２ファスニングテープ５２の基端部５３における股下中央線ＣＬ側の端点５３ａと股下中央線ＣＬとの間の距離である。尚、図１中に符号ａで示す長さは総て同じ長さである。
【００１３】
本実施形態のおむつ１は、図３に示すように、股下部Ｃにおける吸収体４の両側部４１，４１が着用時に下方に屈曲して着用者の大腿部内側面Ｍに沿って配されるようになされている。
【００１４】
本実施形態のおむつ１のように、股下部における吸収体の両側部が着用時に下方に屈曲して着用者の大腿部内側面に沿って配されるようになされている使い捨ておむつ（以下、大腿部内側面当接型のおむつともいう）は、大腿部内側面に沿って配される吸収体部分を有しない従来の一般的な使い捨ておむつに比べて、股下部における吸収体の幅が広がっている分、背側フラップ部の幅が短くなっているため、大腿部内側面当接型のおむつの外形を、従来のおむつと同様に設計した場合には、おむつを装着する際に、背側フラップ部が着用者の臀部に引っ掛かり易く、スムーズな装着が困難であったり、装着できたとしてもフィット性が劣る等の問題が生じる。また、各背側フラップ部に２以上のファスニングテープが設けられている場合、装着の際に背側フラップ部が臀部に引っ掛かると、第２ファスニングテープ５２がランディングゾーン６上の適正な位置に十分に引き上げられず、それにつられて第１ファスニングテープ５１もランディングゾーン６上の適正な位置に十分に引き上げられないため、背側部Ａ及び腹側部Ｃにおける端部フラップ部１３，１４（図１参照）に隙間が生じ易くなり、そのような隙間によってウエスト廻りのフィット性が不充分となる。端部フラップ部１３，１４は、吸収体４の長手方向の両端縁の位置よりもおむつ長手方向の外方に位置する部分である。
【００１５】
本発明の発明者らは、おむつを装着する際の装着者（着用者又は介護者等）の行動を分析することで、第２ファスニングテープを引っ張る際の力線とレッグ縁部の形状の関係並びに第１及び第２ファスニングテープと背側フラップ部との位置関係がおむつの装着性に大きく関与していることを見い出した。本発明は、斯かる知見に基づき鋭意検討した結果なされたものであり、大腿部内側面当接型のおむつに前記要件１〜３を具備させ、大腿部内側面当接型のおむつの装着性及びフィット性を向上させたものである。
【００１６】
前記要件１は、主として第１ファスニングテープ５１が設けられている位置が、従来の大腿部内側面当接型のおむつに比べて、背側ウエスト縁端１２に近い位置であることを規定するものである。従来、大腿部内側面当接型のおむつにおいては、大腿部内側面に当接する部分に配された吸収体が着用者の活動により下方に引っ張られるため、おむつのずれ落ちが生じ易かった。前記要件１を具備させることにより、斯かるずれ落ちを効果的に防止することができる。尚、斯かるずれ落ちを確実に防止するためには、要件１のみでは不充分であり、前記要件２及び３により、第２ファスニングテープ５２を第１ファスニングテープ５１と共にランディングゾーン６上に十分に引き上げて止着できるようにする必要がある。また、前記要件１を具備させることにより、背側部Ａ及び腹側部Ｃそれぞれの端部フラップ部１３，１４に肌との間の隙間が生じず、そのような隙間によるフィット性の低下や防漏効果の低下を防止することができる。
ずれ落ち及び／又は端部フラップ部１３，１４の隙間を防止する観点から、前記比（Ｌ１／Ｌ２）は０．０７未満であることが好ましい。尚、この比（Ｌ１／Ｌ２）の下限値は０である。
【００１７】
前記要件２は、主として第２ファスニングテープ５２が設けられている位置が、従来の大腿部内側面当接型のおむつに比べて、背側ウエスト縁端１２に近い位置であることを規定している。前記要件２を具備させることにより、後述する前記要件３による効果を確実に発現させることができる。即ち、前記要件２と前記要件３とを組み合わせることにより、背側フラップ部５０の臀部への引っ掛かりの発生を確実に防止することができる。
【００１８】
前記要件３は、主として第２ファスニングテープを引っ張る際の力線とレッグ縁部の形状の関係を規定するものである。即ち、本発明の発明者らは、第２ファスニングテープ５２を引っ張ったときの力の伝達を観察することにより、第２ファスニングテープ５２の基端部５３から、該基端部を通るレッグ縁部１１の接線における該レッグ縁部１１に対する接点Ｐに向かって直線的に力が加わることを知見し、更に、その接点Ｐの位置が第２ファスニングテープ５２の引き上げ易さを左右する大きな要因であることを知見した。前記要件３は、これらの知見に基づき規定されたものである。尚、ここでいう力線とは、各フラップ部に設けられた複数のファスニングテープのうち最も股下中央線側に位置する第２ファスニングテープ５２の基端部５３を通り且つ前記レッグ縁部１１に接する直線であり、前記要件３における仮想力線ＦＬとは、想定し得る多数の力線の内、第２ファスニングテープ５２の基端部５３における股下中央線ＣＬ側の端点５３ａを通る線である。
【００１９】
前記要件３を具備することにより、おむつを装着する際に、背側フラップ部５０が着用者の臀部に引っ掛かる可能性を大幅に低減でき、そのため、第２ファスニングテープ５２を、第１ファスニングテープ５１と共にランディングゾーン６上に容易且つ十分に引き上げ、それらをランディングゾーン６上の適正な位置に容易に止着することができる（装着性の向上）。また、適正な位置に止着できることにより、着用者のウエスト廻り及び胴回りに良好なフィット性が得られる。
【００２０】
尚、本実施形態のおむつ１におけるファスニングテープ５１，５２は、それぞれ、機械的面ファスナーのオス部材からなる止着部５４を有するテープ基材５５を裏面シート３（背側フラップ部の形成材料）の片面あるいは両面に接合して形成されている。各テープ基材５５は、フラップ部の形成材料に積層され該形成材料に接着剤、ヒートシール等により接合されたテープ固定部分５６と、フラップ部の外側縁から突出した突出部分５７とを有している。本実施形態のおむつ１における各ファスニングテープの基端部５３、５８は、テープ固定部分５６と突出部分５７との境界上にあり、おむつ長手方向に延びている。また、本実施形態のおむつ１は、股下部における吸収体４の最小幅Ｗ（図２参照）が２８〜４５ｃｍ程度であり、該最小幅Ｗのおむつ全長Ｌに対する比（Ｗ／Ｌ）が１／３〜１／２程度である。
【００２１】
吸収体４の背側ウエスト縁端１２側の端部４２と該背側ウエスト縁端１２との間の距離Ｌ４（図１参照）は１５〜７５ｍｍ、特に２５〜５５ｍｍであることが好ましい。装着性及びフィット性を追い求めるあまり前記距離Ｌ４を無制限に拡大することは、背側の防漏効果を低下させる要因となるため、装着性、フィット性及び防漏性能を考慮すると該距離Ｌ４は上記範囲であることが好ましい。
尚、背側フラップ部及び／又は腹側フラップ部に幅方向に伸縮する弾性材を配置することもでき、そのような実施形態は、背側部Ａ及び腹側部Ｃにおける端部フラップ部１３，１４付近に隙間を生じさせないようにする観点から好ましい。
【００２２】
本実施形態のおむつ１は、第１ファスニングテープ５１の基端部５８における背側ウエスト縁端１２側の端点５８ａが、吸収体４の背側ウエスト縁端１２側の端部４２の位置よりも該背側ウエスト縁端１２側に位置している。即ち、第１ファスニングテープ５１の基端部５８の少なくとも一部を、吸収体４の前記端部４２の位置よりも、おむつ長手方向の外方側に位置させてある。そのため、端部フラップ部１３，１４に開き（隙間）が発生することを防止することができる。
これに対して、第１ファスニングテープ５１の基端部５８全体が吸収体４の前記端部４２の位置より股下中央線ＣＬ寄りに位置する場合には、おむつ装着の際に、第１ファスニングテープ５１をおむつ幅方向に引っ張ることによる引っ張り力が吸収体４のみに伝達され、その引っ張り力が端部フラップ部１３に伝達されにくいため、端部フラップ部１３，１４に開き（隙間）が発生する恐れがある。
端部フラップ部１３，１４の開き（隙間）を防止する観点から、第１ファスニングテープ５１の基端部５８のおむつ長手方向の長さの５０％以上、特に該基端部５８の全体が、吸収体４の背側ウエスト縁端１２側の端部４２の位置よりも背側ウエスト縁端１２側に位置していることが好ましい。
【００２３】
本実施形態のおむつ１は、前記仮想力線ＦＬとおむつ長手方向とがなす鋭角ｄ（図１参照）が４５〜８０゜である。鋭角ｄは、前記仮想力線ＦＬとおむつ長手方向とがなす角（鋭角及び鈍角）のうち鋭角の方の角度である。前記鋭角ｄを４５゜以上とすることにより、背側フラップ部５０が臀部に引っ掛かる可能性を一層低減させることができる。また、鋭角ｄを８０゜以下とすることにより、第２ファスニングテープ５２を引っ張ることによる引っ張り力をおむつ長手方向にも良好に伝達させることができ、吸収体の両側部が配されている側部の吸収部分を一層確実且つ十分に大腿部内側面に当接させることができる。斯かる観点から前記鋭角ｄは５０〜７０゜であることが一層好ましい。
【００２４】
第１ファスニングテープ５１と背側ウエスト縁端１２との間の前記距離Ｌ１は０〜３５ｍｍであることが好ましい。前記距離Ｌ１が３５ｍｍ超であると、第１ファスニングテープのおむつ幅方向の引っ張り力が端部フラップ部１３に十分伝達されたとしても、端部フラップ部１３，１４に開き（隙間）が生じる場合がある。前記Ｌ１を３５ｍｍ以下、特に２５ｍｍ以下とすることにより、端部フラップ部１３，１４の開き（隙間）を確実に防止することができる。
【００２５】
本発明の使い捨ておむつおける吸収体４は、股下部Ｃにおける長手方向の両側に一対の屈曲手段を有し且つ該屈曲手段の形成部位４４及び／又は該屈曲手段よりもおむつ幅方向の外方の吸収領域４５に、おむつ長手方向に沿って弾性部材１５が配設されていることが好ましい。斯かる構成により、吸収体の両側部を一層容易に屈曲させ、該両側部が配されている部位を一層確実に大腿部内側面に圧接させることができる。また、着用時におけるおむつの保形性も向上する。屈曲手段の形成部位及び該屈曲手段よりもおむつ幅方向の外方の吸収領域に弾性部材を配設する場合、両部位には、それぞれ別個に弾性部材を配設しても良いし、両部位に跨るように弾性部材を配設しても良い。また、弾性部材の両側部に弾性伸縮部材を配設する場合、その弾性部材の配設箇所は、吸収体の上でも下でも吸収体中でも良いが、大腿部内側面に対する密着性の観点から吸収体の下に配することが好ましい。
本実施形態のおむつ１には、斯かる屈曲手段として、吸収体４の一部に、吸収体（吸収体の形成材料としてのパルプ繊維及び／又は高吸水性ポリマー等）が存在しない領域４４が形成されており、また、屈曲手段４４よりもおむつ幅方向の外方の吸収領域４５の吸収体４１の下面側に糸状の弾性部材１５が配設されている。
【００２６】
屈曲手段としては、吸収体をおむつ幅方向に容易に屈曲させ得る限り特に制限されない。例えば（１）吸収体の存在しない領域を形成する、（２）吸収体の一部を他の部位よりも低坪量とする、（３）吸収体の一部を他の部位よりも薄くする、（４）吸収体の一部を他の部位よりも剛性の低い材料により形成する、（５）細幅のエンボス線を長手方向に沿って付与する、（６）長手方向に沿ってスリットを入れる、（７）弾性部材を屈曲させたいラインに沿って略連続に配設する、（８）吸収体あるいは裏面シートを予め裏面シート側に折り返し吸収体同士あるいは裏面シート同士を接合する等の方法、及びこれらの一又は二以上を組み合わせた方法等が挙げられる。
また、弾性部材１５及び更にその外側に配されている弾性部材１６の形成素材としては、天然ゴム、合成ゴム、スパンデックス等を挙げることができ、それぞれの形態としては糸ないし紐状、帯状、フィルム状等とすることもできる。弾性部材１５，１６は、脚廻りの収縮性、加工性、コスト等の観点から、糸ないし紐状又は帯状であることが好ましい。
【００２７】
本実施形態のおむつ１の各部の形成材料について説明すると、表面シート２、裏面シート３、吸収体４，ファスニングテープ５、ランディングゾーン６形成用のランディングプ、疎水性のシート材７の形成材料としては、それぞれ、従来、使い捨ておむつに用いられている各種のものを特に制限なく用いることができる。疎水性のシート材７としては、例えば、撥水処理を施した不織布等を用いることができる。
【００２８】
次に、第２実施形態の使い捨ておむつ１’について、図４を参照して説明する。第２実施形態のおむつ１’については、上述したおむつ１と異なる点について説明し、同様の構成等については同一の符号を付して説明を省略する。特に説明しない点については、第１実施形態について上述した説明が適宜適用される。
【００２９】
第２実施形態のおむつ１’における第１及び第２ファスニングテープ５１，５２は、背側フラップ部５０から延出させた該フラップ部５０の形成材料に止着部５４を設けて形成されている。
本実施形態における第１ファスニングテープ５１の基端部５８は、図４に示すように、該テープ５１における止着部５４の内方の側縁を横切る直線ＧＬが該テープ５１の付け根付近においてフラップ部の側縁部に接する点５８ａと、第１及び第２ファスニングテープ同士間に形成された凹部の最も深くに位置する点Ｑとを結ぶ線分上にあり、第２ファスニングテープ５２の基端部５３は、該テープ５２における止着部５４の内方の側縁を横切り且つ前記レッグ縁部１１に接する直線（例えば後述する仮想力線ＦＬ）が該テープ５２の付け根付近において該フラップの側縁部に接する点５３ａと、前記点Ｑとを結ぶ線分上にある。本実施形態における仮想力線ＦＬは、第２ファスニングテープ５２における止着部５４の内方の側縁を横切り且つ前記レッグ縁部１１に接する直線であって、前記接点５３ａを通る直線である。
【００３０】
次に、第３実施形態の使い捨ておむつ１”について、図５を参照して説明する。第３実施形態のおむつ１”については、上述したおむつ１’と異なる点について説明し、同様の構成等については同一の符号を付して説明を省略する。特に説明しない点については、第１実施形態について上述した説明が適宜適用される。
【００３１】
第３実施形態のおむつ１”における各背側フラップ部５０は、おむつ本体部分と一体的に形成された本体フラップ部８１と、該本体フラップ部８１の先端縁部に、該先端縁部における股下中央線ＣＬ側の一部８２を残すように設けられたフラップ先端材８３とからなり、該フラップ先端材８３の先端縁部に複数のファスニングテープ５が設けられている。
そして、各背側フラップ部５０における複数のファスニングテープのうち最も背側ウエスト縁端１２側に位置する第１ファスニングテープ５１と該背側ウエスト縁端１２との間の距離Ｌ１、おむつ全長を２等分する股下中央線ＣＬと該背側ウエスト縁端１２との間の距離Ｌ２、及び各背側フラップ部５０における複数のファスニングテープのうち最も前記股下中央線ＣＬ側に位置する第２ファスニングテープ５２と股下中央線ＣＬとの間の距離Ｌ３が、下記（１）及び（２）の関係を満たしており、
Ｌ１／Ｌ２＜０．０８　・・・（１）
Ｌ３／Ｌ２＞０．６　　・・・（２）
且つ、フラップ先端材８３の基端部８４における前記股下中央線ＣＬ側の端点８４ａを通り且つ前記レッグ縁部１１に接する直線状の仮想力線ＦＬが、該レッグ縁部１１との接点Ｐを、背側ウエスト縁端１２からの距離がおむつ全長の２５％以内の領域Ａ１内に有している。前記比（Ｌ１／Ｌ２）は０．０７未満が好ましく、下限値は０である。
【００３２】
第３実施形態のおむつ１”によれば、斯かる構成を有するため、第１実施形態のおむつ１と同様の作用効果が奏される。尚、本体フラップ部８１は、吸収体４の側縁の位置よりもおむつ幅方向外方に延出させたシート材（裏面シート及び疎水性のシート材等）からなり、フラップ先端材８３は、該先端材８３の一部分を本体フラップ部８１の形成材料に接合されて、該本体フラップ部８１に連設されている。フラップ先端材８３の形成材料としては、天然繊維からなる織布、合成繊維からなる不織布、熱可塑性樹脂からなるフィルム等を挙げることができる。また、フラップ先端材８３は、幅方向に伸縮することがフィット性の向上の観点から好ましく、幅方向及び長手方向に伸縮することがより好ましい。
【００３３】
本発明は、上述した実施形態に制限されず、本発明の趣旨を逸脱しない範囲内において適宜変更可能である。
例えば、上記各実施形態のおむつにおける各ファスニングテープは、機械的面ファスナーのオス部材からなる止着部（係合用鈎部又は張り出し部を先端に有する係合突起が面状に多数配設された止着部等）を有するものであるが、これに代えて、テープ基材又はフラップ部から延出させた該フラップの形成材料に粘着剤を塗工して形成した止着部を有するものであっても良い。また、上記各実施形態のおむつにおけるランディングゾーンは、腹側部Ｂの外表面側に、織布、不織布、編み物等からなるランディングテープを固定して形成したものであるが、これに代えて、腹側部Ｂの外表面を不織布等の係合性に富む素材により形成し、該不織布等の一部をランディングゾーンとして利用することもできる。
【実施例】
＜実施例１＞
図１及び図２に示す形態の使い捨ておむつを製造した。但し、各部の寸法や比等は、表１に示す通りとした。尚、表１中の「おむつサイズ」の項のＭ、Ｌの表示は、比較例３〜９については各市販品の表示に従った。実施例及び比較例１，２については市販品の同サイズのものに表示されているＭ，Ｌの区別を記載した。
【００３４】
＜比較例１及び２＞
実施例１において、各部の寸法や比等を表１に示すように代えた以外は、実施例１と同様の構成を有する使い捨ておむつを製造した。
【００３５】
＜比較例３〜９＞
市販の成人用の使い捨ておむつを用意し、各おむつの寸法及び比等を測定し、表１に示した。尚、比較例３〜９の使い捨ておむつは、股下部における前記吸収体の両側部が、着用時に下方に屈曲して着用者の大腿部内側面に沿って配されるようになされていない使い捨ておむつである。
【００３６】
【表１】
2004141532.tif 000003
【００３７】
＜評価＞
実施例及び比較例１の各使い捨ておむつについて、装着のし易さを下記の方法で評価した。
比較例１の使い捨ておむつを使用した結果、そのおむつについて「あてにくい（装着しにくい）」と評価した２４人のモニターに、実施例の使い捨ておむつを使用させた。
実施例の使い捨ておむつについて、あてやすさ（装着のし易さ）を評価させたところ、あてやすいが８名、ややあてやすいが５名、どちらとも言えないが１名、ややあてにくいが４名、あてにくい３名であった。本発明品においては、あてやすさが大幅に改善していることが判った。
【００３８】
【発明の効果】
本発明の使い捨ておむつは、股下部における吸収体の両側部が着用時に下方に屈曲して着用者の大腿部内側面に沿って配されるようになされている使い捨ておむつであって、装着性及びフィット性の向上したものである。
【図面の簡単な説明】
【図１】図１は、第１実施形態の使い捨ておむつを平面状に拡げて表面シート側から見た状態を示す平面図である。
【図２】図２は、図１のＸ−Ｘ断面を模式的に示す断面図である。
【図３】図３は、図１の使い捨ておむつの使用状態を示す模式断面図である。
【図４】図４は、第２実施形態の使い捨ておむつを平面状に拡げて表面シート側から見た状態を示す平面図である。
【図５】図５は、第３実施形態の使い捨ておむつを平面状に拡げて表面シート側から見た状態を示す平面図である。
【符号の説明】
１　　使い捨ておむつ
２　　表面シート
３　　裏面シート
４　　吸収体
５　　ファスニングテープ
１１　レッグ縁部
１２　背側ウエスト縁端
５０　背側フラップ部
５１　第１ファスニングテープ
５２　第２ファスニングテープ
５３，５８　ファスニングテープの基端部
ＦＬ　仮想力線
ＣＬ　股下中央線
Ｐ　　仮想力線とレッグ縁部との接点
【図１】
2004141532.tif 000004
【図２】
2004141532.tif 000005
【図３】
2004141532.tif 000006
【図４】
2004141532.tif 000007
【図５】
2004141532.tif 000008